(57)【要約】【課題】遊技客の所有物に係る安全性を確保することを課題とする。【解決手段】会員管理システム１において、Ｔ／Ｃ１０は、会員ＩＤごとに当該会員が所有する車両の車両登録番号を対応付けて記憶し、遊技店３に係る駐車場５から出場しようとする車両７の車両登録番号が登録されているか否かを判定し、当該車両登録番号が登録されていると判定した場合に、この車両登録番号に対応する会員ＩＤを記録した会員カードがカード処理ユニット５０内に保持されているか否かを判定し、当該会員カードが保持されていると判定した場合に、駐車場５からの出場を禁止する出場禁止措置を実行するように制御する。【選択図】        図２
2007135710.tif 000002
【特許請求の範囲】
【請求項１】
予め登録処理された遊技客が所持する会員用記録媒体に記録された会員識別情報を遊技媒体を貸し出す貸出処理機を通じて取得し、該取得した会員識別情報およびこの会員識別情報の取得元情報に基づいて会員の遊技状況を管理する会員管理システムであって、
前記会員識別情報ごとに、当該会員が所有する車両の車両登録番号を対応付けて記憶する会員情報記憶手段と、
遊技店に係る駐車場から出場しようとする車両の車両登録番号が前記会員情報記憶手段に登録されているか否かを判定する登録可否判定手段と、
前記登録可否判定手段によって当該車両登録番号が登録されていると判定された場合に、この車両登録番号に対応する会員識別情報を記録した会員用記録媒体が前記貸出処理機内に保持されているか否かを判定する保持可否判定手段と、
前記保持可否判定手段によって当該会員用記録媒体が保持されていると判定された場合に、少なくとも前記駐車場からの出場を禁止する出場禁止措置を含む対応措置を実行するように制御する対応措置実行制御手段と
を備えたことを特徴とする会員管理システム。
【請求項２】
前記対応措置実行制御手段は、当該会員用記録媒体を保持する貸出処理機に対して、遊技客からの指示では取出し不可能なように内部に保持した会員用記録媒体を取り込むように指示することを特徴とする請求項１に記載の会員管理システム。
【請求項３】
前記対応措置実行制御手段は、当該会員用記録媒体を保持する貸出処理機に対して、該会員の車両が盗難に遭う危険性がある旨を報知するように指示することを特徴とする請求項１または２に記載の会員管理システム。
【請求項４】
前記対応措置実行制御手段は、前記遊技店の関係者ために設けられた連絡用端末に対して、当該会員の車両が盗難に遭う危険性がある旨或いはその会員が会員用記録媒体を取り忘れている可能性がある旨を報知するように指示することを特徴とする請求項１、２または３に記載の会員管理システム。
【請求項５】
予め登録処理された遊技客が所持する会員用記録媒体に記録された会員識別情報を遊技媒体を貸し出す貸出処理機を通じて取得し、該取得した会員識別情報およびこの会員識別情報の取得元情報に基づいて会員の遊技状況を管理する会員管理方法であって、
前記会員識別情報ごとに、当該会員が所有する車両の車両登録番号を対応付けて会員情報記憶手段に格納する会員情報格納工程と、
遊技店に係る駐車場から出場しようとする車両の車両登録番号が前記会員情報記憶手段に登録されているか否かを判定する登録可否判定工程と、
前記登録可否判定工程によって当該車両登録番号が登録されていると判定された場合に、この車両登録番号に対応する会員識別情報を記録した会員用記録媒体が前記貸出処理機内に保持されているか否かを判定する保持可否判定工程と、
前記保持可否判定工程によって当該会員用記録媒体が保持されていると判定された場合に、少なくとも前記駐車場からの出場を禁止する出場禁止措置を含む対応措置を実行するように制御する対応措置実行制御工程と
を含んだことを特徴とする会員管理方法。
【発明の詳細な説明】
【技術分野】
【０００１】
本発明は、予め登録処理された遊技客（会員）が所持する会員用記録媒体に記録された会員識別情報を遊技媒体を貸し出す貸出処理機を通じて取得し、該取得した会員識別情報およびこの会員識別情報の取得元情報に基づいて会員の遊技状況を管理する会員管理システムおよび会員管理方法に関する。
【背景技術】
【０００２】
従来より、パチンコ遊技やパチスロ遊技などの遊技を提供する遊技店では、プリペイドカードや会員カードなどの各種記録媒体が広く利用されている。このうち、「プリペイドカード」は、有価価値（例えば、貨幣の金額または金額に相当する価値を示す価値データ）が関連付けられたものである。
【０００３】
また、「会員カード」は、予め所定の会員登録を行った遊技客（以下、適宜これを「会員」という。）に対して発行されるものであり、この会員である遊技客の住所、氏名や電話番号などの個人情報や会員が遊技で獲得したパチンコ玉やメダルの数量情報（貯玉情報）に対応付けられた会員識別情報（以下、適宜「会員ＩＤ」と言う。）を記録したものである。さらに、近年では、プリペイド機能がさらに付加されたプリペイド一体型会員カードが用いられている。
【０００４】
このような「会員カード」を利用した会員管理システムでは、会員が所持する会員カードに記録された会員ＩＤを遊技媒体を貸し出す貸出処理機を通じて取得し、該取得した会員ＩＤおよびこの会員ＩＤの取得元情報に基づいて会員の遊技状況（すなわち、どの遊技機で遊技し、どの程度の遊技投資を行っているかという状況）を管理している（例えば、特許文献１参照。）。
【０００５】
ところで、遊技店に設けられた駐車場では、遊技客が長期間にわたって自車両から離れるケースが多く、車上荒しや車両盗難などの不法行為が行われることもめずらしくないので、遊技店では、これらの不法行為を防止するために、従業員が駐車場を定期的に見回るなど人的な対応を行っている。
【０００６】
【特許文献１】特開平７−５１４５８号公報
【発明の開示】
【発明が解決しようとする課題】
【０００７】
しかしながら、上記した従来技術を背景にした遊技店では、遊技客の所持物に係る安全性を確保することができないという問題点があった。
【０００８】
これを具体的に説明すると、上記の従来技術を背景にした遊技店では、遊技客が駐車場から出場しようとしたとき、それが単なる出場行為であるのか、或いは窃盗行為であるのかを判別するのは極めて困難であるので、結果的には、遊技客が遊技を終えて自車両の駐車位置に戻ってくるまで車両盗難の事実を看過することとなる。このため、車両盗難の事件発生時点と事件認識時点の間に時間差が生じることとなり、遊技客は、かかる車両盗難という事件に対して事後的な対応を取らざるを得なかった。
【０００９】
また、上記の従来技術を背景にした遊技店では、遊技客（会員）が貸出処理機に会員カードを挿入したままで帰ってしまった場合には、従業員によって会員カードが「拾得物」として回収されるまで他の遊技客に無防備な状態でさらされるため、第三者に遺失物である会員カードを横領されるおそれがある。
【００１０】
以上のことから、いかにして遊技客の所有物が安全な状態でなくなってしまう前に対応措置を取るか（すなわち、車両盗難の事件発生以前に盗難防止措置を取るか或いは会員カードが置き忘れられた時点で拾得措置を取るか）が極めて重要な課題となっている。
【００１１】
そこで、本発明は、上述した従来技術による課題（問題点）を解消するためになされたものであり、遊技客の所有物が安全な状態でなくなってしまう前に対応措置を実行し、もって遊技客の所有物に係る安全性を確保することができる会員管理システムおよび会員管理方法を提供することを目的とする。
【課題を解決するための手段】
【００１２】
上述した課題を解決し、目的を達成するために、請求項１の発明に係る会員管理システムは、予め登録処理された遊技客が所持する会員用記録媒体に記録された会員識別情報を遊技媒体を貸し出す貸出処理機を通じて取得し、該取得した会員識別情報およびこの会員識別情報の取得元情報に基づいて会員の遊技状況を管理する会員管理システムであって、前記会員識別情報ごとに、当該会員が所有する車両の車両登録番号を対応付けて記憶する会員情報記憶手段と、遊技店に係る駐車場から出場しようとする車両の車両登録番号が前記会員情報記憶手段に登録されているか否かを判定する登録可否判定手段と、前記登録可否判定手段によって当該車両登録番号が登録されていると判定された場合に、この車両登録番号に対応する会員識別情報を記録した会員用記録媒体が前記貸出処理機内に保持されているか否かを判定する保持可否判定手段と、前記保持可否判定手段によって当該会員用記録媒体が保持されていると判定された場合に、少なくとも前記駐車場からの出場を禁止する出場禁止措置を含む対応措置を実行するように制御する対応措置実行制御手段とを備えたことを特徴とする。
【００１３】
また、請求項２の発明に係る会員管理システムは、上記の発明において、前記対応措置実行制御手段は、当該会員用記録媒体を保持する貸出処理機に対して、遊技客からの指示では取出し不可能なように内部に保持した会員用記録媒体を取り込むように指示することを特徴とする。
【００１４】
また、請求項３の発明に係る会員管理システムは、上記の発明において、前記対応措置実行制御手段は、当該会員用記録媒体を保持する貸出処理機に対して、該会員の車両が盗難に遭う危険性がある旨を報知するように指示することを特徴とする。
【００１５】
また、請求項４の発明に係る会員管理システムは、上記の発明において、前記対応措置実行制御手段は、前記遊技店の関係者ために設けられた連絡用端末に対して、当該会員の車両が盗難に遭う危険性がある旨或いはその会員が会員用記録媒体を取り忘れている可能性がある旨を報知するように指示することを特徴とする。
【００１６】
また、請求項５の発明に係る会員管理方法は、予め登録処理された遊技客が所持する会員用記録媒体に記録された会員識別情報を遊技媒体を貸し出す貸出処理機を通じて取得し、該取得した会員識別情報およびこの会員識別情報の取得元情報に基づいて会員の遊技状況を管理する会員管理方法であって、前記会員識別情報ごとに、当該会員が所有する車両の車両登録番号を対応付けて会員情報記憶手段に格納する会員情報格納工程と、遊技店に係る駐車場から出場しようとする車両の車両登録番号が前記会員情報記憶手段に登録されているか否かを判定する登録可否判定工程と、前記登録可否判定工程によって当該車両登録番号が登録されていると判定された場合に、この車両登録番号に対応する会員識別情報を記録した会員用記録媒体が前記貸出処理機内に保持されているか否かを判定する保持可否判定工程と、前記保持可否判定工程によって当該会員用記録媒体が保持されていると判定された場合に、少なくとも前記駐車場からの出場を禁止する出場禁止措置を含む対応措置を実行するように制御する対応措置実行制御工程とを含んだことを特徴とする。
【発明の効果】
【００１７】
本発明によれば、会員識別情報ごとに、当該会員が所有する車両の車両登録番号を対応付けて記憶し、遊技店に係る駐車場から出場しようとする車両の車両登録番号が登録されているか否かを判定し、当該車両登録番号が登録されていると判定した場合に、この車両登録番号に対応する会員識別情報を記録した会員用記録媒体が貸出処理機内に保持されているか否かを判定し、当該会員用記録媒体が保持されていると判定した場合に、少なくとも駐車場からの出場を禁止する出場禁止措置を含む対応措置を実行するように制御することとしたので、遊技客の所有物が安全な状態でなくなってしまう前に対応措置を実行し、もって遊技客の所有物に係る安全性を確保することが可能な会員管理システムおよび会員管理方法が得られるという効果を奏する。
【００１８】
また、本発明によれば、当該会員用記録媒体を保持する貸出処理機に対して、遊技客からの指示では取出し不可能なように内部に保持した会員用記録媒体を取り込むように指示することとしたので、第三者に遺失物である会員用記録媒体を横領されることを防止することが可能な会員管理システムが得られるという効果を奏する。
【００１９】
また、本発明によれば、当該会員用記録媒体を保持する貸出処理機に対して、該会員の車両が盗難に遭う危険性がある旨を報知するように指示することとしたので、会員自身が車両盗難の事件発生以前に盗難防止措置を取ることが可能な会員管理システムが得られるという効果を奏する。
【００２０】
また、本発明によれば、遊技店の関係者ために設けられた連絡用端末に対して、当該会員の車両が盗難に遭う危険性がある旨或いはその会員が会員用記録媒体を取り忘れている可能性がある旨を報知するように指示することとしたので、従業員に対応措置を迅速に行わせることができ、遊技客の所有物に係る安全性をより多分に確保することが可能な会員管理システムが得られるという効果を奏する。
【発明を実施するための最良の形態】
【００２１】
以下に添付図面を参照して、本発明に係る会員管理システム（会員管理方法）の好適な実施例を詳細に説明する。なお、以下では、本発明に係る会員管理システムを実施例１として説明した後に、本発明に含まれる他の実施例を実施例２として説明する。
【実施例１】
【００２２】
以下の実施例１では、実施例１に係る会員管理システムの概要および特徴、システムを構成する各装置の構成および処理の流れを順に説明する。なお、本実施例１では、本発明をパチンコ遊技を対象とする遊技システムに適用することとする。
【００２３】
［概要および特徴（実施例１）］
まず最初に、図１を用いて、実施例１に係る会員管理システムの概要および特徴を説明する。図１は、実施例１に係る会員管理システムの概要および特徴を説明するための概念図である。
【００２４】
同図に示すように、遊技店３内に設置された遊技システムは、ターミナルコントローラ（以下、Ｔ／Ｃと言う。）１０を中心にして、「島」と呼ばれるグループごとに設けられた島コントローラ３０が接続された構成となる。さらに、島コントローラ３０には、各島に設置された複数の遊技機（パチンコ機）４０それぞれに併設されたカード処理ユニット５０が接続されている。
【００２５】
この遊技システムは、従来から用いられている会員カードＭＣ（会員登録を行った遊技者（会員）に対して遊技店から発行され、発行店の識別情報や会員コードなどの会員識別情報が記憶される）や、プリペイドカードＰＣ（カード発行機により遊技者に対して発行され、発行店の識別情報、カード固有の識別コード、発行額、カード種別などが記録される）を記録媒体として用いることができる。
【００２６】
パチンコ機４０は、パチンコ玉を遊技領域に発射して遊技客が遊技を行う装置である。また、カード処理ユニット５０は、プリペイドカードＰＣや会員カードＭＣなどの記録媒体に価値付けられた度数の残数（以下、残度数という）を上限とするパチンコ玉の貸し出し処理を主機能とするものであり、遊技店に設置された複数のパチンコ機４０それぞれに対して１台ずつペアとなるように用意され、パチンコ機４０の相互間に挟まれる形で設置してある。
【００２７】
Ｔ／Ｃ１０は、遊技店３に少なくとも１台設置してあり、設置した遊技店の統括管理、例えばカード管理、会員の管理、売上管理などをおこなうとともに、プリペイドカードＰＣ並びに会員カードＭＣの有価価値に関する情報を記憶管理する部分である。但し、本実施例では、プリペイドカードＰＣの情報管理は、プリペイドカード管理Ｔ／Ｃ（図示せず）が担っているものとする。なお、本実施例では、カードに記録した磁気データを改ざんするなどの不正行為を防止する観点から、プリペイド一体型会員カードには「度数」および「貯玉数」を記録せず、会員カードの識別情報のみを記録する構成を採用することとする。
【００２８】
この遊技システムでは、予め登録処理された遊技客（会員）が所持する会員カードに記録された会員ＩＤを遊技媒体を貸し出すカード処理ユニット５０を通じて取得し、該取得した会員ＩＤおよびこの会員ＩＤの取得元情報（例えば、カード処理ユニット５０と接続されたパチンコ機４０の台番号など）に基づいて会員の遊技状況を管理する。
【００２９】
ここで、実施例１に係る会員管理システム１は、会員ＩＤごとに、当該会員が所有する車両の車両登録番号を対応付けて記憶し、遊技店３に係る駐車場５から出場しようとする車両７の車両登録番号が登録されているか否かを判定し、当該車両登録番号が登録されていると判定した場合に、この車両登録番号に対応する会員ＩＤを記録した会員カードがカード処理ユニット５０内に保持されているか否かを判定し、当該会員カードが保持されていると判定した場合に、少なくとも駐車場５からの出場を禁止する出場禁止措置を含む対応措置を実行するように制御する点に主たる特徴があり、かかる一連の処理によって、遊技客の所有物が安全な状態でなくなってしまう前に対応措置を実行し、もって遊技客の所有物に係る安全性を確保することができるようにしている。
【００３０】
これを具体的に説明すると、会員管理システム１では、会員の遊技状況管理を主機能とした会員管理システムを遊技客の所有物管理を実行可能なシステムに拡張している。例えば、図１に示すように、ゲートによる入出場管理を行う遊技店３の駐車場５においては、ゲート２１の開閉制御を行うゲート制御装置２０と車両のナンバープレートを撮像するカメラ２２を設置し、これらの機器と遊技システムを連動させる。
【００３１】
より詳細には、ゲート制御装置２０は、接近センサ（図示せず）により車両７の接近を検知した場合に、車両７のナンバープレートをカメラ２２を通じて撮像し（１）、該撮像したナンバープレート撮像画像１００をＴ／Ｃ１０に送信する（２）。なお、本実施例１では、ナンバープレートを撮像した画像データそのものをＴ／Ｃ１０に送信することとするが、この画像データに画像認識処理を行って得た車両登録番号を送信するようにしても良い。
【００３２】
一方、Ｔ／Ｃ１０では、ゲート制御装置２０から受信したナンバープレート撮像画像１００に画像認識処理を行って車両７の車両登録番号を認識し（３）、該認識した車両７の車両登録番号が会員ＩＤごとに当該会員が所有する車両の車両登録番号を対応付けて記憶した会員管理ＤＢに登録されているか否かを判定する（４）。例えば、図１に示す例で言えば、車両７の車両登録番号「品川  ３３０  わ  １２−３４」が会員管理ＤＢに登録されているか否かを判定することで、駐車場５から出場しようとする車両７の所有者が遊技店３の会員であることを確認している。
【００３３】
続いて、Ｔ／Ｃ１０は、当該車両登録番号が会員管理ＤＢに登録されていると判定した場合に、この車両登録番号に対応する会員ＩＤを記録した会員カードが遊技店３のカード処理ユニット５０内に保持されているか否かを判定する（５）。上記の例で言えば、会員カードの保持可否を判定することで、会員Ａの会員カードが遊技店３のカード処理ユニット５０に挿入されていることを確認している。
【００３４】
このように、車両７の車両登録番号が会員ＩＤごとに当該会員が所有する車両の車両登録番号を対応付けて記憶した会員管理ＤＢに登録されているか否かを判定し、さらに、この車両登録番号に対応する会員ＩＤを記録した会員カードが遊技店３のカード処理ユニット５０内に保持されているか否かを判定することで、（４）および（５）両者の条件を満たす場合には、車両７の所有者本人である会員Ａが遊技中であるにも拘らず、車両７が駐車場５から出場しようとしている状況、すなわち第三者Ｂが車両７の窃盗を意図している状況を検知することができ、車両の盗難危険性を車両盗難の事件発生以前に特定することができるようにしている。
【００３５】
そして、Ｔ／Ｃ１０は、当該会員カードがカード処理ユニット５０に保持されていると判定した場合に、少なくとも駐車場５からの出場を禁止する出場禁止措置を含む対応措置を実行するように制御する（６）。上記の例を踏襲して説明すると、ゲート制御装置２０にゲート開禁止指示を送信してゲート開禁止状態へ移行させることで、車両盗難の事件発生以前に盗難防止措置を取り、第三者Ｂによる車両７の窃盗行為を未然に防止することができるようにしている。
【００３６】
したがって、上記した従来技術の例で言えば、遊技店３の駐車場５に駐車された車両に対する不法行為への対応を従業員による人的対応に依存することで、遊技客が遊技を終えて自車両の駐車位置に戻ってくるまで車両盗難の事実を看過するのではなく、駐車場５に駐車された車両の盗難危険性を車両盗難の事件発生以前に特定し、車両盗難の事件発生以前に盗難防止措置を取ることで、上記した主たる特徴のように、遊技客の所有物に係る安全性を確保することが可能になる。
【００３７】
［会員管理システムの構成］
続いて、実施例１に係る会員管理システムを構成する各装置の構成を説明する。なお、以下では、システムの中でも「概要および特徴」と重複する部分の説明は省略し、本発明に密接に関連するＴ／Ｃ１０に重点を置いて説明する。
【００３８】
図２は、実施例１に係るＴ／Ｃ１０の構成を示す機能ブロック図である。同図に示すように、このＴ／Ｃ１０は、入力部１１と、出力部１２と、通信制御ＩＦ部１３と、会員管理ＤＢ１４と、遊技状況管理ＤＢ１５とを備える。
【００３９】
このうち、入力部１１は、各種の情報を入力するキーボード、マウスおよびトラックボールなどの指示入力手段であり、例えば、会員管理ＤＢ１４や遊技状況管理ＤＢ１５に記憶された情報の閲覧要求を受け付けたり、駐車場５におけるゲート２１の開閉指示を受け付けたりする。
【００４０】
出力部１２は、各種の情報を出力するモニタなどの出力表示手段であり、例えば、会員管理ＤＢ１４や遊技状況管理ＤＢ１５に記憶された情報を出力したり、制御部１６の要請に応じて駐車場５から出場しようとする車両に対する盗難防止対応を出力したりする。また、通信制御ＩＦ部１３は、各種装置（例えば、ゲート制御装置２０や島コントローラ３０などの装置）との間で各種通信の制御を行う処理部である。
【００４１】
会員管理ＤＢ１４は、会員識別情報ごとに、当該会員の会員情報を対応付けて記憶する記憶（格納）手段であり、具体的には、会員ＩＤに、当該会員が所有する車両の車両登録番号や会員の氏名などの会員情報を対応付けて記憶している。
【００４２】
例えば、図３に示すように、会員ＩＤ「１０００１」に車両登録番号「品川  ３３０  わ  １２−３４」および氏名「山本太郎」を、会員ＩＤ「１００２」に車両登録番号「練馬  ５５０  し  ７７−７７」および氏名「鈴木花子」を、会員ＩＤ「１０００３」に車両登録番号「八王子  ７７０  ね  １２−３４」および氏名「田中次郎」、・・・を対応付けて記憶している。なお、本実施例１では、会員情報として、「車両登録番号」や「氏名」などの情報を記憶することとしたが、本発明はこれに限定されるものではなく、「会員ＩＤ」に「車両登録番号」さえ対応付けて記憶されていれば、会員の「住所」、遊技で獲得された獲得玉の預入れ数である「貯玉数」などの他の情報を記憶させるようにしても良い。
【００４３】
遊技状況管理ＤＢ１５は、遊技客の遊技状況を記憶する記憶（格納）手段であり、具体的には、パチンコ機４０の台番号にその遊技台で遊技をしている会員の会員ＩＤを対応付けて記憶している。例えば、図４に示すように、台番号「２０３」に会員ＩＤ「１０００１」を、台番号「３１０」に会員ＩＤ「１２５４１」を、台番号「６０３」に会員ＩＤ「１００１５」を、・・・を対応付けて記憶している。
【００４４】
制御部１６は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、画像認識処理部１６ａと、登録可否判定部１６ｂと、保持可否判定部１６ｃと、対応措置実行制御部１６ｄとを備える。
【００４５】
このうち、画像認識処理部１６ａは、所定の画像データに対して画像認識処理を行う処理部である。例えば、ゲート制御装置２０から受信したナンバープレート撮像画像１００に対して画像認識処理を行って車両７の車両登録番号を認識し、該認識した車両７の車両登録番号を登録可否判定部１６ｂに出力する。
【００４６】
登録可否判定部１６ｂは、遊技店３に係る駐車場５から出場しようとする車両の車両登録番号が会員管理ＤＢ１４に登録されているか否かを判定する処理部である。例えば、図１に示す例で言えば、車両７の車両登録番号「品川  ３３０  わ  １２−３４」が会員管理ＤＢに登録されているか否かを判定することで、駐車場５から出場しようとする車両７の所有者が遊技店３の会員であることを確認している。
【００４７】
保持可否判定部１６ｃは、登録可否判定部１６ｂによって車両７の車両登録番号が会員管理ＤＢ１４に登録されていると判定された場合に、この車両登録番号に対応する会員ＩＤを記録した会員カードが遊技店３のカード処理ユニット５０内に保持されているか否かを判定する処理部である。例えば、上記の例で言えば、遊技状況管理ＤＢ１５を参照して、車両登録番号「品川  ３３０  わ  １２−３４」に対応する会員ＩＤ「１０００１」がカード処理ユニット５０に挿入されているか否かを判定することで、会員Ａ「山本太郎」の会員カードが遊技店３のカード処理ユニット５０に挿入されていることを確認している。
【００４８】
対応措置実行制御部１６ｄは、保持可否判定部１６ｃによって会員カードがカード処理ユニット５０に保持されていると判定された場合に、少なくとも駐車場５からの出場を禁止する出場禁止措置を含む対応措置を実行するように制御する処理部である。具体的には、ゲート制御装置２０にゲート開禁止指示を送信してゲート開禁止状態へ移行させることで、第三者Ｂによる車両７への窃盗行為を未然に防止している。
【００４９】
また、対応措置実行制御部１６ｄは、当該会員カードを保持するカード処理ユニット５０に対して、該会員の車両が盗難に遭う危険性がある旨を報知するように指示する。具体的には、会員ＩＤ「１０００１」を記録した会員カードが挿入されているカード処理ユニット５０に対して、会員Ａ「山本太郎」の車両７が盗難に遭う危険性がある旨をランプ、インジゲータ、液晶モニタを通じて報知するように指示する。
【００５０】
このように、当該会員カードを保持するカード処理ユニット５０に対して、該会員の車両が盗難に遭う危険性がある旨を報知するように指示することで、会員自身が車両盗難の事件発生以前に盗難防止措置を取ることができるようにしている。
【００５１】
さらに、対応措置実行制御部１６ｄは、遊技店３の関係者ために設けられた連絡用端末に対して、当該会員の車両が盗難に遭う危険性がある旨を報知するように指示する。具体的には、無線通信機能付きの従業員用インカムや店内監視装置に対して、会員Ａ「山本太郎」の車両７が盗難に遭う危険性がある旨をスピーカや液晶モニタを通じて報知するように指示する。
【００５２】
このように、遊技店３の関係者ために設けられた連絡用端末に対して、当該会員の車両が盗難に遭う危険性がある旨を報知するように指示することで、遊技店３の従業員が車両盗難の事件発生以前に盗難防止措置を取ることができるようにしている。
【００５３】
［処理の流れ］
次に、本実施例１に係る会員管理システムの処理の流れを説明する。図５は、実施例１に係る対応措置実行制御処理の手順を示すフローチャートである。同図に示すように、ゲート制御装置２０からナンバープレート撮像画像１００を取得した場合（ステップＳ５０１肯定）に、画像認識処理部１６ａは、このナンバープレート撮像画像１００に対して画像認識処理を行って車両７の車両登録番号を認識する（ステップＳ５０２）。
【００５４】
続いて、登録可否判定部１６ｂは、画像認識処理部１６ａによってナンバープレート撮像画像１００から認識された車両７の車両登録番号が会員管理ＤＢ１４に登録されているか否かを判定する（ステップＳ５０３）。
【００５５】
このとき、登録可否判定部１６ｂによって車両７の車両登録番号が会員ＤＢ１４に登録されていないと判定された場合（ステップＳ５０３否定）には、対応措置実行制御部１６ｄは、ゲート制御装置２０に対してゲート２１の開放を許可する旨を通知し（ステップＳ５０４）、処理を終了する。
【００５６】
なお、この場合には、駐車場５を使用した遊技客は会員ではないことから、ゲート制御装置２０側では、出入場時間を記録する駐車カードや遊技店３内で当該遊技客が遊技を行ったか否かを示すフラグを記録する遊技証明用カードを用いて、遊技客が所定の条件（例えば、課金された料金が精算済みであるという条件や遊技店３内で遊技済みであるという条件）を満たした場合にのみゲート２１を開くようにしても良い。
【００５７】
また、登録可否判定部１６ｂによって車両７の車両登録番号が会員ＤＢ１４に登録されていると判定された場合（ステップＳ５０３肯定）には、保持可否判定部１６ｃは、車両７の車両登録番号に対応する会員ＩＤを記録した会員カードが遊技店３のカード処理ユニット５０内に挿入されているか否かを判定する（ステップＳ５０５）。
【００５８】
このとき、保持可否判定部１６ｃによって車両７の車両登録番号に対応する会員ＩＤを記録した会員カードが遊技店３のカード処理ユニット５０内に挿入されていないと判定された場合（ステップＳ５０５否定）には、対応措置実行制御部１６ｄは、ゲート制御装置２０に対してゲート２１の開放を許可する旨を通知し（ステップＳ５０４）、処理を終了する。
【００５９】
なお、この場合には、ステップＳ５０３否定のケースとは相違して、駐車場５を使用した遊技客が会員であるから、ゲート制御装置２０側では、何ら条件を設けることなく、ゲート２１を開けるようにしても良い。
【００６０】
一方、保持可否判定部１６ｃによって車両７の車両登録番号に対応する会員ＩＤを記録した会員カードが遊技店３のカード処理ユニット５０内に挿入されていると判定された場合（ステップＳ５０５肯定）には、対応措置実行制御部１６ｄは、駐車場５からの出場を禁止する出場禁止措置を実行するように制御する（ステップＳ５０６）。具体的には、ゲート制御装置２０にゲート開禁止指示を送信してゲート開禁止状態へ移行させる。
【００６１】
最後に、対応措置実行制御部１６ｄは、カード処理ユニット５０や遊技店関係者連絡用端末に対して、当該会員の車両が盗難に遭う危険性がある旨を報知するように指示し（ステップＳ５０７）、処理を終了する。
【００６２】
上述してきたように、本実施例１に係る会員管理システム１によれば、会員ＩＤごとに当該会員が所有する車両の車両登録番号を対応付けて記憶し、遊技店に係る駐車場から出場しようとする車両７の車両登録番号が会員管理ＤＢ１４に登録されているか否かを判定し、当該車両登録番号が登録されていると判定した場合に、この車両登録番号に対応する会員ＩＤを記録した会員カードがカード処理ユニット５０内に保持されているか否かを判定し、当該会員カードが保持されていると判定した場合に、少なくとも駐車場３からの出場を禁止する出場禁止措置を含む対応措置を実行するように制御するように構成したので、車両盗難の事件発生以前に盗難防止措置を実行することができ、遊技客の所有物に係る安全性を確保することが可能になる。
【実施例２】
【００６３】
さて、これまで本発明の実施例について説明したが、本発明は上述した実施例以外にも、上記特許請求の範囲に記載した技術的思想の範囲内において種々の異なる実施例にて実施されてもよいものである。
【００６４】
例えば、本発明では、車両７の車両登録番号が会員ＤＢ１４に登録されており、かつ車両７の車両登録番号に対応する会員ＩＤを記録した会員カードが遊技店３のカード処理ユニット５０内に挿入されている場合には、図６に示すように、会員カードが挿入されているカード処理ユニット５０に付設されたパチンコ機４０で会員Ａが遊技をしていないにも拘らず、会員Ａが駐車場５から出場しようとしている状況、すなわち会員カードが取り忘れられた状況と特定し、かかる状況に対応する措置を実行するようにしても良い。
【００６５】
この対応措置について具体的に説明すると、ゲート制御装置２０にゲート開禁止指示を送信してゲート開禁止状態へ移行させることで、会員カードを取り忘れたまま駐車場５から出場してしまうことを防止したり、また、遊技店３の関係者ために設けられた連絡用端末に対して、当該会員が会員カードを取り忘れている可能性がある旨を報知するように指示することで、会員カードの拾得措置を従業員に迅速に行わせたりする。
【００６６】
さらに、会員カードが取り忘れられた状況と特定することを前提としたならば、当該会員カードを保持するカード処理ユニットに対して、遊技客からの指示では取出し不可能なように内部に保持した会員カードを取り込むように指示するようにしても良い。具体的には、図７に示すように、カード処理ユニット５０内のカード搬送機構５２に対して、カード保持部からカード貯留部に会員カードを取り込むように指示することで、第三者に遺失物である会員カードを横領されることを防止することができる。カード貯留部に貯留されたカードは、店員による特殊操作によってのみ排出されるものとする。
【００６７】
なお、ここでは、会員カードが取り忘れられた状況と特定することと説明したが、本発明はこれに限定されるものではなく、カード処理ユニット５０に偽造会員カードが挿入されており、かつ会員Ａが駐車場５から出場しようとしている状況と特定し、該特定した状況に対応する措置を実行するようにしても良い。この場合には、遊技店３の関係者ために設けられた連絡用端末に対して、偽造会員カードが使用されている旨を報知するように指示して、会員カードを利用した不正行為を防止するようにすれば良い。
【００６８】
また、実施例１における保持可否判定部１６ｃでは、車両７の車両登録番号に対応する会員ＩＤを記録した会員カードが遊技店３のカード処理ユニット５０内に保持されているか否かを遊技状況管理ＤＢ１５を参照して判定することとしたが、本発明はこれに限定されるものではなく、当該会員ＩＤを記録した会員カードが挿入されているか否かの問合せをカード処理ユニット５０にマルチキャストで送信し、この応答をもとに会員カードの保持可否を判定するようにしても良い。
【００６９】
なお、実施例１では、複数の駐車スペースに対して１つのゲートで出入場を行わせる駐車場に本発明を適用する実施例について説明したが、本発明はこれに限定されるものではなく、駐車スペースごとにゲートもしくはそれ以外の出入場制御装置が設けられた駐車場でも本発明を同様に適用することができる。
【００７０】
実施例１では、ナンバープレートを含む画像をカメラで撮像したが、ナンバープレートにＩＣチップ（車両番号を含む車両諸元情報を記憶）を搭載する方式が一般化されれば、カメラに代えて、ＩＣチップ読取手段（アンテナ等）を設置して、車両番号情報を取得するようにしてもよい。
【００７１】
また、実施例１では、本発明をパチンコ遊技を対象とする遊技システムに適用することとしたが、本発明はこれに限定されるものではなく、パチスロ遊技を対象として含めた遊技システム、或いはパチスロ遊技のみを対象とする遊技システムであっても本発明を同様に適用することができる。
【００７２】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００７３】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【００７４】
以上のように、本発明に係る会員管理システムおよび会員管理方法は、特に、遊技客の所有物に係る安全性を確保することができる会員管理システムおよび会員管理方法に適している。
【図面の簡単な説明】
【００７５】
【図１】実施例１に係る会員管理システムの概要および特徴を説明するための概念図である。
【図２】実施例１に係るＴ／Ｃの構成を示す機能ブロック図である。
【図３】会員管理ＤＢに記憶される情報の構成例を示す図である。
【図４】遊技状況管理ＤＢに記憶される情報の構成例を示す図である。
【図５】実施例１に係る対応措置実行制御処理の手順を示すフローチャートである。
【図６】本発明の応用例を説明するための説明図である。
【図７】会員カードの取込みを説明するための説明図である。
【符号の説明】
【００７６】
１    会員管理システム
３    遊技店
５    駐車場
７    車両
１０    ターミナルコントローラ（Ｔ／Ｃ）
１１    入力部
１２    出力部
１３    通信制御ＩＦ部
１４    会員管理データベース
１５    遊技状況管理データベース
１６    制御部
１６ａ  画像認識処理部
１６ｂ  登録可否判定部
１６ｃ  保持可否判定部
１６ｄ  対応措置実行制御部
２０    ゲート制御装置
２１    ゲート
２２    カメラ
３０    島コントローラ
４０    パチンコ機
５０    カード処理ユニット
【図１】
2007135710.tif 000003
【図２】
2007135710.tif 000004
【図３】
2007135710.tif 000005
【図４】
2007135710.tif 000006
【図５】
2007135710.tif 000007
【図６】
2007135710.tif 000008
【図７】
2007135710.tif 000009